【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
ワイヤレス電力を供給するためのデバイスであって、
発振器を備え、かつ前記発振器の周波数の変化を検出するように構成される検出回路と、
ワイヤレス電力トランスミッタであって、前記検出回路が前記発振器の前記周波数の前記変化を検出すると、充電可能デバイス前記トランスミッタの充電領域内に配置されているかどうかを判定するように構成され、前記トランスミッタが、前記検出回路から電気的に絶縁されるようにさらに構成され、前記トランスミッタが、少なくとも第1および第2の電力状態のうちの1つにおいて動作するようにさらに構成され、前記第1の電力状態が、前記第2の電力状態より低い前記トランスミッタからの電力出力を有し、前記トランスミッタが、前記発振器の前記周波数の前記変化を検出することに基づいて、前記第1の電力状態から前記第2の電力状態に移行するように構成される、ワイヤレス電力トランスミッタと
を備える、デバイス。
【請求項２】
前記検出回路を前記トランスミッタに結合するように構成されるアイソレータをさらに備え、前記アイソレータが、スイッチ、方向性結合器、変圧器、または別個の結合コイルを備える、請求項1に記載のデバイス。
【請求項３】
前記検出回路が、前記トランスミッタのコイルに結合されるコイルを備え、前記検出回路のコイルが、前記トランスミッタのコイルを励起するように構成される、請求項1に記載のデバイス。
【請求項４】
前記検出回路が、前記トランスミッタの動作特性に基づいて選択的に動作可能である、請求項1に記載のデバイス。
【請求項５】
前記トランスミッタが、前記充電可能デバイスが関連付けられた充電領域内に存在するかどうかを判定するために、前記充電可能デバイスとの通信リンクの確立を試みること、または前記充電可能デバイスの充電を試みることを行うようにさらに構成される、請求項1に記載のデバイス。
【請求項６】
前記トランスミッタが、前記発振器の前記周波数の前記変化を検出することに応答して、周期信号を送信するようにさらに構成される、請求項1に記載のデバイス。
【請求項７】
前記発振器の周波数の前記変化が、前記トランスミッタの送信共振器を備える共振回路の共振周波数の変化の結果である、請求項1に記載のデバイス。
【請求項８】
ワイヤレス電力を供給するためのデバイスであって、
検出回路によって測定された信号の位相の変化を検出するように構成される検出回路と、
ワイヤレス電力トランスミッタであって、前記検出回路が前記信号の前記位相の前記変化を検出すると、充電可能デバイスが前記トランスミッタの充電領域内に配置されているかどうかを判定するように構成され、前記トランスミッタが、少なくとも第1および第2の電力状態のうちの1つにおいて動作するようにさらに構成され、前記第1の電力状態が、前記第2の電力状態より低い前記トランスミッタからの電力出力を有し、前記トランスミッタが、前記検出回路によって測定された前記信号の前記位相の前記変化を検出することに基づいて、前記第1の電力状態から前記第2の電力状態に移行するように構成されるワイヤレス電力トランスミッタと
を備える、デバイス。
【請求項９】
前記検出回路が、位相ロックループまたは基準クロックおよび位相比較器を備える、請求項8に記載のデバイス。
【請求項１０】
前記検出回路が、スイッチ、方向性結合器、変圧器、または別個の結合コイルを介して前記検出回路を前記トランスミッタに結合することによって、前記トランスミッタから選択的に電気的に絶縁されるようにさらに構成される、請求項8に記載のデバイス。
【請求項１１】
前記検出回路が、前記トランスミッタのコイルに結合されるコイルを備え、前記検出回路のコイルが、前記トランスミッタのコイルを励起するように構成される、請求項8に記載のデバイス。
【請求項１２】
前記検出回路が、前記トランスミッタの動作特性に基づいて選択的に動作可能である、請求項8に記載のデバイス。
【請求項１３】
前記トランスミッタが、前記充電可能デバイスが関連付けられた充電領域内に存在するかどうかを判定するために、前記充電可能デバイスとの通信リンクの確立を試みること、または前記充電可能デバイスの充電を試みることを行うようにさらに構成される、請求項8に記載のデバイス。
【請求項１４】
前記トランスミッタが、前記信号の前記位相の前記変化を検出することに応答して、周期信号を送信するようにさらに構成される、請求項8に記載のデバイス。
【請求項１５】
前記信号の位相の前記変化が共振回路の位相の変化の結果であり、前記共振回路が前記トランスミッタの送信共振器を備える、請求項8に記載のデバイス。
【請求項１６】
ワイヤレス電力を供給するためのデバイスであって、
差動アンテナを備える検出回路であって、前記差動アンテナの中央タップ点における電圧または電流の変化を検出するように構成される、検出回路と、
前記検出回路が前記中央タップ点における前記電圧または電流の前記変化を検出すると、充電可能デバイスがワイヤレス電力トランスミッタの充電領域内に配置されているかどうかを判定するように構成されるワイヤレス電力トランスミッタと
を備える、デバイス。
【請求項１７】
前記検出回路が、スイッチ、方向性結合器、変圧器、または別個の結合コイルを介して前記トランスミッタから選択的に電気的に絶縁されるようにさらに構成される、請求項16に記載のデバイス。
【請求項１８】
前記検出回路が、前記トランスミッタのコイルに結合されるコイルを備え、前記検出回路のコイルが、前記トランスミッタのコイルを励起するように構成される、請求項16に記載のデバイス。
【請求項１９】
前記検出回路が、前記トランスミッタの動作特性に基づいて選択的に動作可能である、請求項16に記載のデバイス。
【請求項２０】
前記トランスミッタが、前記充電可能デバイスが関連付けられた充電領域内に存在するかどうかを判定するために、前記充電可能デバイスとの通信リンクの確立を試みること、または前記充電可能デバイスの充電を試みることを行うようにさらに構成される、請求項16に記載のデバイス。
【請求項２１】
前記トランスミッタが、少なくとも第1および第2の電力状態のうちの1つにおいて動作するようにさらに構成され、前記第1の電力状態が、前記第2の電力状態より低い前記トランスミッタからの電力出力を有し、前記トランスミッタが、前記電圧または電流の前記変化を検出することに基づいて、前記第1の電力状態から前記第2の電力状態に移行するように構成される、請求項16に記載のデバイス。
【請求項２２】
前記トランスミッタが、前記電圧または電流の前記変化を検出することに応答して、周期信号を送信するようにさらに構成される、請求項16に記載のデバイス。
【請求項２３】
ワイヤレス電力を供給するための方法であって、
検出回路の発振器の周波数の変化を検出するステップと、
前記発振器の前記周波数の前記変化を検出すると、充電可能デバイスがワイヤレス電力トランスミッタの充電領域内に配置されているかどうかを判定するステップと、
前記発振器の前記周波数の前記変化を検出することに基づいて、第1の電力状態から第2の電力状態に移行するステップであって、前記第1の電力状態が、前記第2の電力状態より低い前記トランスミッタからの電力出力を有する、移行するステップと
を含む、方法。
【請求項２４】
前記検出回路が、前記トランスミッタの動作特性に基づいて選択的に動作可能である、請求項23に記載の方法。
【請求項２５】
前記充電可能デバイスが充電領域内に配置されているかどうかを判定するステップが、前記周波数の前記変化を検出することに応答して前記充電可能デバイスが関連付けられた充電領域内に存在するかどうかを判定するために、前記充電可能デバイスとの通信リンクの確立を試みるステップ、または前記充電可能デバイスの充電を試みるステップをさらに含む、請求項23に記載の方法。
【請求項２６】
前記電圧または電流の前記変化を検出することに応答して、周期信号を送信するステップをさらに含む、請求項23に記載の方法。
【請求項２７】
前記発振器の前記周波数の前記変化が、前記トランスミッタの送信共振器を備える共振回路の周波数の変化の結果である、請求項23に記載の方法。